(57)【要約】【課題】所望のプリントサイズに応じて、オペレータがペーパーを１つだけ登録するものであり、最適サイズのプリントペーパーを選択する場合には、特に注意が必要だった。【解決手段】本発明は、ペーパーのペーパーマガジンを１以上搭載可能に構成され、プリントチャンネルを設定するプリントチャンネル設定部と、プリントチャンネルに基づいて、写真プリントを作成するプリント手段とを備えた写真処理装置において、プリントチャンネル設定部は、一のプリントチャンネルに異なるペーパー幅のペーパーを２以上設定可能に構成され、設定されたプリントチャンネルの２以上のペーパーのうち、いずれか一のペーパーで写真プリントを作成するように制御し、また、一のペーパーで写真プリントの作成が不可能な場合に、その他のペーパーで写真プリントを作成するように制御する制御手段をさらに具備することを特徴とする写真処理装置である。【選択図】図１
2006276668.tif 000002
【特許請求の範囲】
【請求項１】
写真プリントに使用されるペーパーのペーパーマガジンを１以上搭載可能に構成され、
画像データを取得する画像データ取得部と、
前記画像データから写真プリントを作成する際のプリントサイズやペーパーの種類を含むプリント状態に関する情報であるプリントチャンネルを設定するプリントチャンネル設定部と、
前記プリントチャンネル設定部で設定されたプリントチャンネルに基づいて、前記画像データから写真プリントを作成するプリント手段とを備えた写真処理装置において、
前記プリントチャンネル設定部は、一のプリントチャンネルに異なるペーパー幅のペーパーを２以上設定可能に構成され、
前記設定されたプリントチャンネルの２以上のペーパーのうち、いずれか一のペーパーで写真プリントを作成すると共に、
一のペーパーで写真プリントの作成が不可能な場合に、その他のペーパーで写真プリントを作成するように制御する制御手段をさらに具備することを特徴とする写真処理装置。
【請求項２】
前記プリントチャンネル設定部は、一のプリントチャンネルに、プリントサイズの縦の長さと一致するペーパー幅のペーパーと、前記プリントサイズの横の長さと一致するペーパー幅のペーパーとを設定することを特徴とする請求項１に記載の写真処理装置。
【請求項３】
前記プリントチャンネル設定部は、一のプリントチャンネルに異なるペーパー幅のペーパーを２以上設定する際に、
ペーパーの使用される順序をさらに設定し、
前記制御手段は、前記使用される順序に基づいて、写真プリントを作成するように制御することを特徴とする請求項１又は請求項２に記載の写真処理装置。
【請求項４】
前記プリントチャンネル設定部は、一のプリントチャンネルに異なるペーパー幅のペーパーを２以上設定する場合に、
写真処理装置に搭載されたペーパーマガジンに基づいて、ペーパーを設定することを特徴とする請求項１から請求項３のいずれか１項に記載の写真処理装置。
【請求項５】
プリントサイズに対応するペーパーの種類を決める規則である規則情報を格納する規則情報格納部をさらに具備し、
前記プリントチャンネル設定部は、前記規則情報に基づいて、ペーパーを設定することを特徴とする請求項１に記載の写真処理装置。
【請求項６】
前記一のペーパーで写真プリントの作成が不可能な場合に、その他のペーパーで写真プリントを作成する旨の情報である切換情報を出力する切換情報出力部をさらに有することを特徴とする請求項１から請求項５のいずれか１項に記載の写真処理装置。
【発明の詳細な説明】
【技術分野】
【０００１】
本発明は、写真プリントの作成に使用されるペーパーを複数搭載可能に構成され、取得された画像データをペーパーにプリントするプリント手段を有する写真処理装置に関するものである。より詳細には、一のプリントチャンネルに異なるペーパーを複数設定し、第１のペーパーが、例えば、消費尽くされた場合に、設定されている他のペーパーにプリントする写真処理装置に関するものである。
【背景技術】
【０００２】
従来の写真処理装置は、複数のペーパー（通常は印画紙）を搭載可能に構成され、取得された画像データをペーパーにプリントする場合に、予め、画像データをプリントするペーパーを１つだけ登録するものだった。例えば、仕上がりプリントサイズをＬ判の縦８９ｍｍ、横幅１２７ｍｍのサイズにする場合において、８９ｍｍ幅のペーパーと、１２７ｍｍ幅のペーパーが搭載されていれば、オペレータは、８９ｍｍ幅、あるいは、１２７ｍｍ幅のペーパーの内いずれか１つのペーパーのみを選択し、プリントチャンネルに登録していた。
【０００３】
そして、プリント時には、必要とするだけペーパーを引き出してプリント処理（露光処理）を行い、この処理によって、例えば、８９ｍｍ幅のペーパーが消費された場合には、プリント処理が停止し、写真処理装置の操作画面上において、プリント処理画面からプリント処理が停止したことを示すエラー表示画面（例えば、待機画面）に切り換わるものだった。そして、このエラー表示画面に気づいたオペレータが、８９ｍｍ幅のペーパーのマガジンを新規のマガジンに交換し、あるいは、異なるマガジンから、例えば、１２７ｍｍ幅のペーパーを供給する操作を行っていた。さらに、ペーパーの交換等が完了した後、再度、ネガフィルムをスキャンし、再度ペーパーを選択し、プリントチャンネルを登録しなければならなかった。
【０００４】
また、本出願人は、上記の場合において、オペレータ操作の煩雑さを改良し、また、無人運転を可能にするために、写真処理装置を以下のように構成した。
【０００５】
すなわち、指示入力手段の指示入力に基づき通常運転モードでプリントを行う場合にはプリント制御手段がペーパーに対応した設定プリントサイズのプリントを行わせ、無人運転モードでプリントを行う場合には、プリント制御手段がペーパーの幅内に１つ若しくは複数のプリントを行わせるものとした。つまり、プリントサイズに適した幅のペーパーを使用できる場合には通常運転モードでのプリントが可能で、プリントサイズに適した幅のペーパーが存在しなくとも、そのプリントサイズより広い幅のペーパーが使用できる場合には、無人運転モードでのプリントが可能となり、夜間に無人運転を行う場合でも、その幅広のペーパーに対して横幅方向に１つ若しくは複数のプリントを行ってプリントを継続できるものとした（特許文献１参照）。しかし、かかる写真処理装置においても、所望のプリントサイズに応じて、オペレータがペーパーを１つだけ登録するものだった。そして、かかる通常運転モードから無人運転モードに切り換わった場合においても、写真処理装置の操作画面上には、エラー表示画面が表示されていた。
【特許文献１】特開２００１−１７４９３８号公報
【発明の開示】
【発明が解決しようとする課題】
【０００６】
しかし、上記で説明した従来技術においては、所望のプリントサイズに応じて、プリントチャンネルにペーパーを１つだけ設定するものであり、オペレータが、最適サイズのペーパーを取捨選択する作業が存在し、例えば、オペレータは、８９ｍｍ幅あるいは１２７ｍｍ幅のペーパーかのいずれかを適宜選択しなければならならず、選択する場合に、注意が必要だった。すなわち、所望のプリントサイズを得るために、写真処理装置に搭載されているペーパーから最適サイズのペーパーを選択したり、また、プリントサイズとプリント枚数から算出されるペーパーの必要な長さと、搭載されているペーパーの残り長さとを考慮してペーパーを選択したり、あるいはペーパーの在庫を考慮して選択したりと、オペレータは、様々な要因を考慮して、ペーパーを選択するものであった。このように、ペーパーの選択は、煩雑な思考を要し、オペレータにとって、大変煩わしいものだった。
【０００７】
また、通常運転モードから無人運転モードに切り換わっても、操作画面上にエラー表示がなされ、かかるエラー表示は、オペレータを煩わす原因にもなっていた。
【０００８】
さらに、幅広のペーパーでプリントすると、余白（露光されない領域）が生じる場合があり、この余白は、写真の仕上がり品質として好ましいものではなかった。この余白をカットするためには、写真処理装置に余白をカットするカット機構をさらに備えるように構成するか、このカット機構を構成しない場合は、オペレータが手動で余白部分をカットする必要があった。しかし、このカット機構を具備させることは写真処理装置の全体構成を複雑なものにするという問題があった。また、余白部分をオペレータ自身でカットすることは、熟練度を要求するものであり、未熟なオペレータは、余白以外の写真部分までカットしてしまうという問題があった。
【課題を解決するための手段】
【０００９】
上記の課題を解決するために、本発明は、写真プリントに使用されるペーパーのペーパーマガジンを１以上搭載可能に構成され、画像データを取得する画像データ取得部と、画像データから写真プリントを作成する際のプリントサイズやペーパーの種類を含むプリント状態に関する情報であるプリントチャンネルを設定するプリントチャンネル設定部と、プリントチャンネル設定部で設定されたプリントチャンネルに基づいて、画像データから写真プリントを作成するプリント手段とを備えた写真処理装置において、プリントチャンネル設定部は、一のプリントチャンネルに異なるペーパー幅のペーパーを２以上設定可能に構成され、設定されたプリントチャンネルの２以上のペーパーのうち、いずれか一のペーパーで写真プリントを作成すると共に一のペーパーで写真プリントの作成が不可能な場合に、その他のペーパーで写真プリントを作成するように制御する制御手段をさらに具備することを特徴とする写真処理装置である。
【００１０】
かかる構成によって、一のプリントチャンネルにペーパーを複数設定でき、一のペーパーが消耗しても、その他の登録されたペーパーで、プリントを続行できる。従って、オペレータは、プリントチャンネルを設定する際に、例えば、所望のプリントサイズを得るために、写真処理装置に搭載されているペーパーから最適サイズのペーパーを選択したり、また、プリントサイズとプリント枚数から算出されるペーパーの必要な長さと、搭載されているペーパーの残り長さとを考慮してペーパーを選択したり、あるいはペーパーの在庫を考慮してペーパーを選択したりする等の煩雑な判断をする必要がなく、複数のペーパーを設定できる。すなわち、一のプリントチャンネルで複数のペーパーを用いたプリントが可能となるので、ペーパーを選択する際の上記の思考を要せず、煩雑な作業を省くことができる。
【００１１】
また、他の本発明は、プリントチャンネル設定部は、一のプリントチャンネルに、プリントサイズの縦の長さと一致するペーパー幅のペーパーと、プリントサイズの横の長さと一致するペーパー幅のペーパーとを設定することを特徴とする写真処理装置である。
【００１２】
かかる構成によって、例えば、プリントサイズの縦の長さと一致するペーパー幅のペーパーでプリント処理し、このペーパーが消耗した際には、プリントサイズの横の長さと一致するペーパー幅のパーパーでプリント処理を行えるので、余白部分を生じない写真プリントを作成できる。
【００１３】
また、他の本発明は、プリントチャンネル設定部は、一のプリントチャンネルに異なるペーパー幅のペーパーを２以上設定する際に、ペーパーの使用される順序をさらに設定し、制御手段は、使用される順序に基づいて、写真プリントを作成するように制御することを特徴とする写真処理装置である。
【００１４】
かかる構成によって、ペーパーの使用順序を設定し、この使用順序で従って、ペーパーが使用されるので、例えば、最も使用頻度の高いペーパーを優先的に使用し、それが消費された後、次に使用頻度の高いペーパーを使用できる。例えば、最も使用頻度の高いペーパーが８９ｍｍ幅のペーパーであり、次に使用頻度の高いものが１２７ｍｍ幅のペーパーである場合において、プリントサイズが縦８９ｍｍ×横幅１２７ｍｍであれば、８９ｍｍ幅のペーパーが優先的に使用され、これが消費されると、次に１２７ｍｍ幅のペーパーが使用されるように構成できる。
【００１５】
また、他の本発明は、プリントチャンネル設定部は、一のプリントチャンネルに異なるペーパー幅のペーパーを２以上設定する場合に、写真処理装置に搭載されたペーパーマガジンに基づいて、ペーパーを設定することを特徴とする写真処理装置である。
【００１６】
かかる構成によって、自動的に検出された写真処理装置に搭載されたペーパーの種類からペーパーを設定できる。よって、オペレータがプリントチャンネルの設定の際に、写真処理装置に搭載されたペーパーをチェックする必要がなくなり、作業時間を短縮できる。
【００１７】
また、他の本発明は、プリントサイズに対応するペーパーの種類を決める規則である規則情報を格納する規則情報格納部をさらに具備し、プリントチャンネル設定部は、規則情報に基づいて、ペーパーを設定することを特徴とする写真処理装置である。
【００１８】
かかる構成によって、予め設定された規則に基づいて、ペーパーを設定できる。例えば、プリントサイズをＬ判に設定した場合に、規則情報に従って、自動的に、ペーパーを８９ｍｍ幅と１２７ｍｍ幅のペーパーに設定できる。よって、オペレータがペーパーを選択する作業がなくなり、操作時間を短縮できる。
【００１９】
また、他の本発明は、一のペーパーで写真プリントの作成が不可能な場合に、その他のペーパーで写真プリントを作成する旨の情報である切換情報を出力する切換情報出力部をさらに有することを特徴とする写真処理装置である。
【００２０】
かかる構成によって、オペレータは、ペーパーが切り換ったことを知ることができ、従来のような操作画面上からエラー表示を受け取ることがなくなり、エラー表示を受け取った場合の精神的に受ける煩わしさや嫌な気分が生じない。
【発明を実施するための最良の形態】
【００２１】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
（実施の形態１）
図１は、本実施の形態における写真処理装置１の構成を示すブロック図である。写真処理装置１は、画像データ取得部１０、画像データ格納部２０、補正データ格納部２１、プリントチャンネル設定データ格納部２２、規則情報格納部２３、装置制御手段３０、表示部４０、入力部５０、データ蓄積部６０、画像処理基板７０及びプリント手段８０を有する。
【００２２】
装置制御手段３０は、ＧＵＩ３１、画像処理部３２、ハード制御部３３、プリントチャンネル設定部３４、制御手段３５及び切換情報出力部３６を有する構成である。さらに、装置制御手段３０は、写真処理装置１を制御するための機能を有し、ソフトウェアとＣＰＵ、メモリ等のハードウェアで実現される。
【００２３】
プリント手段８０は、露光エンジン８１、第１ペーパーマガジン８２、第２ペーパーマガジン８３、ペーパーマガジン切換手段８４を有する構成である。
【００２４】
なお、写真処理装置１は、不図示の、ＣＰＵ、ＭＰＵ、メモリ、制御バス、データバス、ハードディスク等の記憶媒体等を有する。
【００２５】
以下、本発明において、「プリントチャンネル」とは、プリントサイズやペーパーの種類を含むプリント状態に関する情報であって、例えば、ペーパー、ペーパーマガジン、プリントサイズ、白縁の有無とその幅等の情報である。プリントチャネル設定部３４で設定されたプリントチャンネルはプリントチャンネル設定データとしてプリントチャンネル設定データ格納部２２に格納される。
【００２６】
また、「プレジャッジ」とは、画面に表示させたコマ画像に対して、色や濃度等の補正データを入力し、この補正データに基づいて画像データを画像処理して表示させ、色・濃度等が適切か否かをオペレータによって判断することである。そして、「プレジャッジ画面」とは、「プレジャッジ」をするための画面である。
【００２７】
また、「規則情報」とは、ペーパーサイズに対応するペーパーの種類を決める規則であって、例えば、プリントサイズのＬ判には、ペーパーとして８９ｍｍ幅ペーパーと１２７ｍｍ幅ペーパーが対応し、プリントサイズのパノラマには、ペーパーとして８９ｍｍ幅のペーパーのみが対応するような、任意の規則である。
【００２８】
以下に、各々の構成について説明する。
【００２９】
画像データ取得部１０は、画像データを取得する。ここで、「画像データ」とは、画像として認識されるデータであって、かつ、写真プリントの作成に用いられるデータである。また、「画像データ」は、例えば、ポジフィルム上のコマ画像、ネガフィルム上のコマ画像から読み取られるデジタルデータである。
【００３０】
画像データ取得部１０は、各種フィルム上の画像データを取得する場合（例えば、１３５カラーネガ、１３５黒白ネガ、１３５ポジ、ＡＰＳネガ等）、フィルムスキャナー（スキャナー装置）で実現できる。
【００３１】
また、画像データ取得部１０は、メディア（例えば、ＣＤ−Ｒ、ＤＶＤ、ＭＯ、ＺＩＰ（登録商標）、フロッピー（登録商標）ディスク、コンパクトフラッシュ(登録商標)、スマートメディア（登録商標）、ＰＣカード、メモリースティック（登録商標）、ＳＤカード等）に記録された画像データを取得する場合、メディアに対応する読取装置、およびその制御手段によって実現される。メディアが、例えば、ＤＶＤの場合は、画像データ取得部１０は、ＤＶＤドライブとＤＶＤドライバーで実現できる。
【００３２】
また、画像データ取得部１０は、画像データを、外部の装置から、有線または無線通信を介して受信してもよい。かかる場合、画像データ取得部１０は、受信手段で実現できる。また、受信する処理手順は、通常、ソフトウェアで実現され、当該ソフトウェアはＲＯＭ等の記録媒体に記録されている。但し、ハードウェア（専用回路）で実現しても良い。
【００３３】
画像データ格納部２０は、画像データ取得部１０が取得した画像データを、一時的に格納する。なお、「一時的に格納する」とは、例えば、格納されてから所定期間経過後に自動的に消去されるまで格納する場合や、画像処理やプリント処理等の任意の処理が終了するまで消去されず格納する場合等を意味するものであり、以下同様である。
【００３４】
補正データ格納部２１は、補正データを、一時的に格納する。ここで「補正データ」は、画像データに対する補正に関するデータであり、色・濃度の補正に関するものだけではなく、赤目補正、逆光補正、階調補正のような特殊な補正に関する補正パラメータ、プリント枚数のデータも補正データに含まれる。
【００３５】
プリントチャンネル設定データ格納部２２は、後述するプリントチャンネル設定部３４によって設定されたプリントチャンネルのデータであるプリントチャンネル設定データを格納する。
【００３６】
規則情報格納部２３は、規則情報を格納している。
【００３７】
ＧＵＩ３１は、グラフィカル・ユーザー・インターフェイスであり、後述する表示部４０の表示画面を介して画像処理に関するデータ入力操作等を行う機能を有している。
【００３８】
ＧＵＩ３１は、画像データ格納部２１から画像データを取得し、４枚分の画像データを表示画面に表示する。なお、表示画面に表示させる画像の枚数は４枚分でなく、例えば、６枚、８枚というように適宜設定することができる。オペレータは、この表示画面を見ながら適切な色・濃度により写真プリントが作成されるか否かを判断することができる。
【００３９】
かかる表示画面上で、画像データの色や濃度の補正を行う。この補正の設定方法としては、後述する入力部５０から、例えば、Ｙ（イエロー)、Ｍ(マゼンタ)、Ｃ（シアン)の各色に対する補正データ、あるいは、濃度に対する補正データを入力する方法がある。
【００４０】
また、かかる表示画面上で、プリントチャンネルを設定できる。設定方法に関しては、後述する。
【００４１】
画像処理部３２は、後述する入力部５０（例えば、キーボード、マウス）から入力された補正データ（例えば、色や濃度等）に基づいて、表示画面に表示されている画像データを画像処理する。この画像処理の手順や方法は、従来技術であるので、ここでの詳細な説明は省略する。画像処理された画像データは、ＧＵＩ３１により、表示画面に表示され、オペレータは、表示された画像データをプリントしても良いか否かを判断（プレジャッジ）し、良ければ、次の画像データに対して、上記で説明した補正データの入力と画像処理を繰り返す。すなわち、かかる補正データの入力はある程度試行錯誤的に行われるものであり、最終的に確定された補正データは、補正データ格納部２２に一旦格納される。なお、補正データは、個々の画像データに付随した形のデータとなる。
【００４２】
なお、表示画面に表示される画像のサイズは、入力された画像データのサイズとは異なり、通常はサイズが小さくなったサムネイル画像が画面表示される。このサムネイル画像データを生成する処理も画像処理部３２の機能であり、表示画面を見ながら行われる画像処理もサムネイル画像データに基づいて行われるものである。
【００４３】
ハード制御部３３は、ハードウェアである画像処理基板７０に対する制御を行う。例えば、画像データとそれに対応する補正データを、後述するハードディスク６１から画像処理基板７０に転送する制御をする。
【００４４】
プリントチャンネル設定部３４は、一のプリントチャンネルに異なるペーパー幅のペーパーを２以上設定可能に構成されている。かかる設定の手順の詳細は後述する。
【００４５】
また、プリントチャンネル設定部３４は、一のプリントチャンネルに、プリントサイズの縦の長さと一致するペーパー幅のペーパーと、プリントサイズの横の長さと一致するペーパー幅のペーパーとを設定することができる。例えば、プリントサイズがＬ判（１２７ｍｍ×８９ｍｍ）であれば、１２７ｍｍ幅ペーパーと８９ｍｍ幅ペーパーを設定できる。
【００４６】
また、プリントチャンネル設定部３４は、一のプリントチャンネルに異なるペーパー幅のペーパーを２以上設定する際に、ペーパーの使用される順序も設定することができる。例えば、使用頻度の高い８９ｍｍ幅のペーパーを優先的に使用するように設定し、次に使用頻度の高い１２７ｍｍ幅のペーパーを８９ｍｍ幅ペーパーが消費されたら次に使用されるように設定できる。
【００４７】
また、プリントチャンネル設定部３４は、一のプリントチャンネルに異なるペーパー幅のペーパーを２以上設定する場合に、写真処理装置１に搭載されたペーパーマガジンに基づいて、ペーパーを設定することができる。例えば、写真処理装置１にペーパーマガジンが搭載されると、ペーパーマガジンに貼付された識別情報（例えば、ＩＣタグ、バーコード等に含まれる識別情報）が読み取られ、その読み取られた識別情報が示すペーパーがプリントチャンネル設定時に表示され、表示されたペーパーの中から設定できる。すなわち、自動的に、写真処理装置１に搭載されたペーパーの種類を識別して、この識別されたペーパーの中からオペレータは、任意のペーパーを設定できる。なお、ペーパーマガジンの識別情報を読み取る手段は、従来技術であるので、ここで詳細な説明は省略する。
【００４８】
また、プリントチャンネル設定部３４は、規則情報に基づいて、ペーパーを設定することができる。例えば、プリントサイズを設定すれば、規則情報に基づいて、自動的に、複数のペーパーを設定できる。なお、規則情報は、予め定められ、規則情報格納部２３に格納されるものであるが、任意に規則情報の内容を変更できる。例えば、搭載されるペーパーマガジンの種類に基づいて、規則情報の内容を変更できる。具体的には、規則情報には、Ｌ判に対するペーパーの種類として、８９ｍｍ幅ペーパーと１２７ｍｍ幅ペーパーがある場合に、搭載されるペーパーマガジンの種類が８９ｍｍ幅ペーパーと２５４ｍｍ幅ペーパーであれば、規則情報は、Ｌ判に対するペーパーの種類として、８９ｍｍ幅ペーパーと２５４ｍｍ幅ペーパーに変更できる。かかる変更処理は、装置制御手段３０が、読み取られたペーパーマガジンの識別情報に基づいて、規則情報を変更してもよく、オペレータが手動で規則情報を書き換えて、規則情報格納部２３に記録するようにしてもよい。
【００４９】
制御手段３５は、設定されたプリントチャンネルの２以上のペーパーのうち、いずれか一のペーパーで写真プリントを作成するように制御する。例えば、制御手段３５は、設定されたプリントチャンネルの２以上のペーパーのうち、いずれか一のペーパーで写真プリントを作成する場合に、ペーパーの残り長さを検出し、残り長さが十分存在するペーパーで写真プリントを作成するように制御できる。なお、ペーパーの残り長さは、例えば、ペーパーを搬送する搬送機構を駆動するモータ等の回転量（ステッピングモータで構成されている場合には駆動パルスの数と比例する）に基づいて計測できる。特に、ロータリエンコーダ等の専用のセンサを用いて消費されたペーパーの長さを計測するように構成することも可能である。
【００５０】
また、制御手段３５は、一のペーパーで写真プリントの作成が不可能な場合に、その他のペーパーで写真プリントを作成するように制御する。例えば、制御手段３５は、ペーパーが消耗した場合に、その他の設定されたペーパーで写真プリントを作成できるようにプリント手段８０や画像処理基板７０を制御することができる。
【００５１】
また、制御手段３５は、ペーパーの使用される順序に基づいて、写真プリントを作成するように制御することができる。例えば、制御手段３５は、優先的に８９ｍｍ幅ペーパーで写真プリントを作成し、次に、１２７ｍｍ幅ペーパーを使用するようにプリント手段８０や画像処理基板７０を制御することができる。
切換情報出力部３６は、一のペーパーで写真プリントの作成が不可能な場合に、その他のペーパーで写真プリントを作成する旨の情報である切換情報を表示部４０に出力する。「切換情報」とは、ペーパーが切り換わった旨の情報であって、例えば、「ペーパーが変更されました」という文字情報でもよく、図形、絵文字の情報でもよい。また、操作画面上に、ペーパーが切り換ったことを示すポップアップアイコンでもよい。なお、「切換情報」は、予め写真処理装置１に内蔵のメモリに記憶されたものであっても良い。
【００５２】
表示部４０は、ＧＵＩ３１の起動に基づいて、プリント処理における操作画面を表示する。表示部４０は、例えば、液晶ディスプレイ、ＣＲＴディスプレイ、有機ＥＬディスプレイ、プラズマディスプレイ等で実現できる。
【００５３】
入力部５０は、オペレータの入力操作における指示を受け付ける機能を有する。「指示」の内容は、例えば、プリントチャンネルの設定の指示、プリントチャンネルの選択の指示、補正データの入力の指示、その他写真処理装置１の操作において必要な指示等である。
【００５４】
入力部５０は、キーボードとそのドライバーソフト、マウスとそのドライバーソフト等で実現できる。また、入力部５０は、タッチパネルとその制御手段等で実現されてもよい。
【００５５】
データ蓄積部６０は、画像データと補正データを写真処理装置１に内蔵の記録媒体（通常は、ハードディスク６１）に蓄積する。かかる蓄積は、オーダー単位で行われる。オーダーの概念については、写真店において適宜設定することができるものであるが、例えば、写真フィルム１本、記録媒体１個を１オーダーとして扱うことができる。蓄積される画像データと補正データにはオーダーＩＤが付与されオーダー単位で管理される。かかる蓄積されたデータのデータ構造は、特に限定されない。
【００５６】
画像処理基板７０について説明する。画像処理基板７０は、不図示の受信メモリと不図示の画像処理手段と不図示の送信メモリと不図示のファームウェアとが設けられている。画像処理基板７０は、実際に露光用に使用される露光用画像データを生成する機能を有する。受信メモリは、データ蓄積部６０によって蓄積された画像データ及びそれに対応した補正データをハードディスク６１から受け取る。画像処理手段は、画像処理部３２とは異なり、ハードウェアで構成されている。補正データに基づいて、ファームウェアによる処理内容を設定することができ、これに基づいて、露光用画像データを生成するための処理が行われる。以上のように、ハードウェアを中核として画像処理基板７０が構成されているので、画像処理基板７０による画像処理は高速に処理される。
【００５７】
この画像処理手段において行われる画像処理は、補正データに基づいて行う色・濃度が補正された形の補正画像データを生成するだけでなく、作成するべきプリントサイズと同じサイズのデータとなるような拡大処理、あるいは、画像の縦横を変換する回転処理、必要に応じて行われる赤目補正や逆光補正等の特殊補正、仕上がりの写真プリントの色合いとモニター画面における色合いを合わせるためのカラーマッチング補正、現像処理液の種類や経時変化を考慮した補正等があげられる。また、ＪＰＥＧ等の圧縮ファイル形式の画像データをビットマップに展開する処理も行われる。第２の画像処理手段により処理された結果得られた露光用画像データは、送信メモリに送られる。そして、送信メモリに格納された露光用画像データは、プリント手段８０に転送される。
【００５８】
次に、写真処理装置のプリント手段８０の構成を簡単に説明する。
【００５９】
露光エンジン８１は、画像処理基板７０の送信メモリから転送されてきた露光用画像データを用いて、ペーパーの乳剤面の画像を露光形成する。露光エンジン８１は、一定速度で副走査方向に搬送されるペーパーに対して、露光光を主走査方向に走査することで潜像を形成させる。露光エンジン８１としては、種々の構造のものを採用することができ、例えば、レーザーエンジン、ＰＬＺＴエンジン、ＣＲＴエンジン等を採用することができる。
【００６０】
露光エンジン８１により画像を焼付露光されたペーパーは、不図示の現像処理手段に送り込まれ現像処理が施された後、不図示の乾燥処理手段で乾燥処理が施され、不図示のペーパー排出手段から仕上がりの写真プリントが装置外部に排出される。排出された写真プリントは、１オーダー単位で不図示の集積手段に集積される。
【００６１】
第1ペーパーマガジン８２及び第２ペーパーマガジン８３は、写真感光材料である長尺状のペーパーをロールに巻き取られた形態で収容する。これにより、ペーパーサイズの異なるものを複数種類予め用意しておくことができる。いずれかのペーパーマガジンから引き出されたペーパーは、所定の搬送経路に沿って搬送されるように構成され、搬送経路途上に設けられたペーパーカッター８４２（図２参照）により、所定のプリントサイズに切断される。切断されたペーパーは、露光エンジン８１に搬送される。なお、写真処理装置１は、ペーパーマガジンを３つ以上配置できるように構成することもできる。
【００６２】
ペーパーマガジン切換手段８４は、一のペーパーマガジン内のペーパーが消費された場合に、その消費されたペーパー以外のペーパーに切り換えて供給するようにペーパーマガジンを切り換える機構を有する。かかる機構は従来技術であり、ここでは、図２を参照しながら簡単に説明する。
【００６３】
使用状態の第１ペーパーマガジン８２に対応する第１のアクセスモータ８２１と導入搬送機構８４１とを同時に、同期状態で逆転作動させ、この逆転により第１のペーパー８２２の端部を第１ペーパーマガジン８２内に戻す。この操作後に、第２のアクセスモータ８３１と導入搬送機構８４１とを正転方向（第２のペーパー８３２を露光エンジン８１の側に送り出す方向）に駆動し、第２ペーパーマガジン８３内の第２のペーパー８３２を処理可能な位置まで送り込む。このようにして、第１のペーパー８２２から第２のペーパー８３２に切り換わる。
【００６４】
上述した、画像データ格納部２０、補正データ格納部２１、プリントチャンネル設定データ格納部２２及び規則情報格納部２３は、不揮発性の記録媒体が好適であるが、揮発性の記録媒体でも実現可能である。格納するための処理手順は、通常、ソフトウェアで実現され、当該ソフトウェアはＲＯＭ等の記録媒体に記録されている。画像データ格納部２０、補正データ格納部２１、プリントチャンネル設定データ格納部２２及び規則情報格納部２３は、通常、ハードディスク、ＤＲＡＭ、ＳＲＡＭ、または、ＥＰＲＯＭ等で構成されている。なお、画像データ格納部２０、補正データ格納部２１、プリントチャンネル設定データ格納部２２及び規則情報格納部２３は、物理的に一体の記録媒体で構成されていてもよく、物理的に別体の記録媒体で構成されていてもよい。
【００６５】
また、画像処理部３２、ハード制御部３３、プリントチャンネル設定部３４、制御手段３５、切換情報出力部３６及びデータ蓄積部６０は、通常、ＭＰＵやメモリ等で実現され得る。かかる各々の機能を実現するための処理手順は、通常、ソフトウェアで実現され、当該ソフトウェアはＲＯＭ等の記録媒体に記録されている。
【００６６】
以下、写真処理装置１の動作について図３のフローチャートを用いて説明する。今、写真処理装置１の電源をＯＮにする。写真処理装置１の操作画面が起動される。そして、表示部４０の表示画面上に、操作画面が表示される。操作画面は、ＧＵＩ３１の機能によって構成されている。
【００６７】
（ステップＳ１）プリントチャンネル設定部３４は、プリントチャンネルを設定する。具体的な設定手順の一例を図４を用いて説明する。図４において、オペレータが「プリントチャンネル設定」ボタンをクリックすると、プリントチャンネルを設定するためのフィールドが表示される。このフィールド上で、プリントチャンネルを設定できる。例えば、「チャンネル１」のプリントサイズをＬ判にする場合、サイズのフィールドの横に配置されたボタンをクリックし、設定したいプリントサイズ（ここでは、Ｌ判）を選択する。また、「チャンネル１」の第1ペーパーに８９ｍｍ幅ペーパーを設定する場合に、第１ペーパーのフィールドの横に配置されたボタンをクリックして、「８９ｍｍ幅」を選択する。次に、第２ペーパーに１２７ｍｍ幅ペーパーを設定する場合に、第２ペーパーのフィールドの横に配置されたボタンをクリックして、「１２７ｍｍ幅」を選択する。その他のプリントチャンネルに対しての設定が終了したら、「設定確定」ボタンをクリックする。これにより、選択されたプリントサイズやペーパーの種類等がプリントチャンネル設定データとして、プリントチャンネル設定データ格納部２２に格納される。ここで、「第1ペーパー」に設定されたペーパーは、優先的に使用され、「第２ペーパー」に設定されたペーパーは、第1ペーパーに設定されたペーパーが使用できない場合に使用されるものであり、このようにして、ペーパーの使用される順序を設定できる。
【００６８】
なお、かかるペーパーの設定やペーパーの使用される順序の設定は、上記の説明に限定されず、キーボードから直接手入力することもできる。
【００６９】
また、プリントチャンネル設定部３４は、任意のプリントサイズを設定すると、このプリントサイズの縦の長さと一致するペーパー幅のペーパーと、このプリントサイズの横の長さと一致するペーパー幅のペーパーを設定できる。例えば、オペレータが、マウスを用いて、サイズに「２Ｌ判」を、第1ペーパーに２Ｌ判の縦の長さである１２７ｍｍと一致する「１２７ｍｍ幅ペーパー」を、第２ペーパーに２Ｌ判の横の長さである１７８ｍｍと一致する「１７８ｍｍ幅ペーパー」を設定できる。また、サイズに「Ｌ判」、第1ペーパーにＬ判の縦の長さである８９ｍｍと一致する「８９ｍｍ幅ペーパー」を選択すると、自動的に、Ｌ判の横の長さである１２７ｍｍと一致する「１２７ｍｍ幅ペーパー」が第２ペーパーの入力フィールドに表示され、そのまま「設定確定」ボタンをクリックすれば、第２ペーパーに「１２７ｍｍ幅ペーパー」を設定できる。
【００７０】
なお、設定されるペーパーの種類は、２つに限定されず、３つ以上のペーパーを設定できる。
【００７１】
また、プリントチャンネルとして、サイズやペーパーの種類だけでなく、その他のデータも設定できることは言うまでもない。
【００７２】
また、ペーパーとペーパーマガジンは対の関係であり、ここでは、８９ｍｍ幅ペーパーは、第1ペーパーマガジン３２と対の関係であり、１２７ｍｍ幅ペーパーは、第２ペーパーマガジンと対の関係である。
【００７３】
また、選択できるペーパーの種類は、写真処理装置１に搭載されたペーパーの種類であり、搭載されていないペーパーは設定できないように構成できる。例えば、ボタンをクリックしても、搭載されたペーパー以外は表示されないように構成できる。
【００７４】
さらに、プリントチャンネル設定部３４は、サイズを設定すると、規則情報に基づいて、ペーパーを設定できる。プリントチャンネル設定部３４は、例えば、サイズに設定された「Ｌ判」をキーに、規則情報を検索する。そして検索された「８９ｍｍ幅ペーパー」と１２７ｍｍ幅ペーパー」を使用されるペーパーとして設定できる。図５は、規則情報の例を示す図である。図５において、規則情報は、プリントサイズが「Ｌ判」であれば、第1ペーパーに「８９ｍｍ幅」のペーパーを、第２ペーパーに「１２７ｍｍ幅」のペーパーを設定する規則であることを示す。また、「８９ｍｍ幅」ペーパーは、第1ペーパーマガジンに収納され、「１２７ｍｍ幅」ペーパーは第２ペーパーマガジンに収納されていることを示す。また、プリントサイズが「２Ｌ判」であれば、第1ペーパーに「１２７ｍｍ幅」のペーパーを、第２ペーパーに「１７８ｍｍ幅」のペーパーを設定する規則であることを示す。「１７８ｍｍ幅」ペーパーに対応するペーパーマガジンが「ＮＵＬＬ」であることは、写真処理装置１に１７８ｍｍ幅ペーパーのマガジンが搭載されていないことを示す。かかる場合に、オペレータが「１７８ｍｍ幅ペーパー」を第２ペーパーマガジンとして写真処理装置１に搭載すると、規則情報の「ＮＵＬＬ」は、「第２ペーパーマガジン」に変更され、第２ペーパーの１７８ｍｍ幅ペーパーで写真プリントを作成することが可能になる。また、オペレータが、２５４ｍｍ幅ペーパーを第２ペーパーマガジンとして写真処理装置１に搭載すると、規則情報の第２ペーパーは「１７８ｍｍ幅」から「２５４ｍｍ幅」に変更され、かつ、「ＮＵＬＬ」は、「第２ペーパーマガジン」に変更され、２５４ｍｍ幅ペーパーで写真プリントを作成することが可能になる。
【００７５】
（ステップＳ２）ステップＳ１で設定されたプリントチャンネルのうち、所望のプリントチャンネルを選択する。かかる選択の手順の一例を図６を用いて説明する。オペレータが「プリントチャンネル選択」ボタンをクリックすると、プリントチャンネル設定データ格納部２２からプリントチャンネル設定データが読み出され、読み出されたプリントチャンネル設定データに基づいて、プリントチャンネルを選択するためのフィールドが作成され、表示される。表示されたフィールドは、プリントチャンネルの種類である「チャンネル１」、「チャンネル２」等、プリントチャンネルを選択するためのチェックボックス等で構成されている。チャンネル１をプリントチャンネルに選択する場合、チャンネル１のチェックボックスをクリックする（クリックするとチェックボックスが白抜きから黒に変わる）。プリントチャンネルの選択が終了したら、「選択確定」ボタンをクリックする。これにより、選択されたプリントチャンネル「チャンネル１」で写真プリントが作成される。
【００７６】
なお、選択の方法として、チェックボックスをクリックするようにしたが、例えば、「プリントチャンネル」として「チャンネル１」という文字を直接手入力するように構成してもよく、選択の方法は、特に限定されない。
【００７７】
（ステップＳ３）プレジャッジを行うために、「ＰＪＰ」ボタンをクリックする（図６参照）。かかる操作によって、画像データ取得部１０は、ネガフィルムから解像度の低い画像データを取得する。取得された画像データは、画像データ格納部２０に格納される。次に、ＧＵＩ３１は、操作画面をプレジャッジ画面に切り替える。そして、画像処理部３２は、画像データ格納部２０から画像データを取得し、サムネイル処理する。ＧＵＩ３１は、サムネイル処理された画像データを、プレジャッジ画面に形成したフィールド上にコマ画像単位で表示する。次に、オペレータは、コマ画像毎に補正データを入力する。次に、画像処理部３２は、入力された補正データに基づいて、コマ画像を画像処理する。次に、ＧＵＩ３１は、画像処理されたコマ画像をフィールド上に表示する。そして、オペレータは、補正処理されたコマ画像が、写真プリントするのに適切な画質になったと判断したら、次のコマ画像に対して、プレジャッジを繰り返す。補正データは、補正データ格納部２１に格納される。
【００７８】
（ステップＳ４）プレジャッジを終了し、写真プリントを作成するか否かを判断する。写真プリントを作成すると判断した場合、ステップＳ５に行き、そうでない場合、ステップＳ３に戻り、プレジャッジを繰り返す。具体的には、オペレータが「プリント」ボタンをクリックすると、写真プリントを作成すると判断する。
【００７９】
（ステップＳ５）「プリント」ボタンがクリックされると、プリント処理指令がなされる。この指令に応じて、画像データ取得部１０は、ネガフィルムから、通常の解像度で画像データを取得する。取得された画像データは画像データ格納部２０に格納される。次に、データ蓄積部６０は、画像データとそれに対応する補正データをハードディスク６１に蓄積する。
【００８０】
（ステップＳ６）制御手段３５は、第1ペーパーで写真プリントの作成が可能か否かを判断する。第1ペーパーで作成可能である場合、ステップＳ７に行き、そうでない場合、ステップＳ１１に行く。例えば、制御手段３５は、第1ペーパーの残り長さが所定値以上であるか否かを判断し、第1ペーパーの残り長さが所定値以上である場合に、ステップＳ７に行き、そうでない場合、ステップＳ１１に行く。
【００８１】
（ステップＳ７）画像処理基板７０は、ハードディスク６１から画像データとそれに対応する補正データをコマ画像単位で取得する。そして、第1ペーパー（例えば、「８９ｍｍ幅ペーパー」）で写真プリントを作成できるように露光用画像データを生成する。
【００８２】
（ステップＳ８）露光用画像データは、プリント手段８０に転送される。
【００８３】
（ステップＳ９）プリント手段８０は、転送されてきた露光用画像データに基づいて、露光処理をする。
【００８４】
（ステップＳ１０）プリント手段８０は、すべての露光用画像データの露光処理が終了したか否かを判断する。すべての露光用画像データの露光処理が終了した場合、終了し、そうでない場合、ステップＳ６に戻る。
【００８５】
（ステップＳ１１）ペーパーマガジン切換手段８４は、第1ペーパーから第２ペーパーに切り換える処理をする。
【００８６】
（ステップＳ１２）切換情報出力部３６は、切換情報を表示部４０に出力する。
【００８７】
（ステップＳ１３）画像処理基板７０は、ハードディスク６１から画像データとそれに対応する補正データをコマ画像単位で取得する。そして、第２ペーパー（例えば、「１２７ｍｍ幅ペーパー」）で写真プリントを作成できるように露光用画像データを生成する。
【００８８】
（ステップＳ１４）露光用画像データは、プリント手段８０に転送される。
【００８９】
（ステップＳ１５）プリント手段８０は、転送されてきた露光用画像データに基づいて、露光処理をする。
【００９０】
（ステップＳ１６）プリント手段８０は、すべての露光用画像データの露光処理が終了したか否かを判断する。すべての露光用画像データの露光処理が終了した場合、終了し、そうでない場合、ステップＳ１３に戻る。
【００９１】
上記のフローチャートにおいて、写真処理装置１がプレジャッジ処理を行うように説明したが、プレジャッジ処理は、必ず行われるものではなく、プレジャッジ処理をせずに、画像データを取得後、写真プリント処理に移行するように構成することもできる。
【００９２】
以下、本実施の形態における写真処理装置１の具体的な動作について説明する。図７は、写真処理装置１の外観の例を示す図である。図７において、写真処理装置１は、スキャナー装置１１、液晶ディスプレイ４１、マウス５１、第１ペーパーマガジン８２の収納部、第２ペーパーマガジン８３の収納部、および、その他の構成要素から構成されている。
【００９３】
今、写真処理装置１の電源がＯＮであり、液晶ディスプレイ４１には、操作画面が表示されている。オペレータは、マウス５１を用いて、「プリントチャンネル設定ボタン」をクリックし、プリントチャンネルを設定するためのフィールド上で、チャンネル１には、プリントサイズ「Ｌ判」、第1ペーパー「８９ｍｍ幅」、第２ペーパー「１２７ｍｍ幅」を設定する。チャンネル２には、プリントサイズ「２Ｌ判」、第1ペーパー「１２７ｍｍ幅」、第２ペーパー「２５４ｍｍ幅」を設定する（図４参照）。次に、オペレータは、チャンネル１（Ｌ判）を選択する（図６参照）。
【００９４】
次に、コマ画像毎にプレジャッジ処理を行う。図８は、プレジャッジ画面の例を示す図である。図８において、プレジャッジ画面は、コマ画像を表示するフィールド、各種補正データを入力するためのフィールドやその入力のためのボタン、写真プリントの作成を開始するための「プリント」ボタン等で構成されている。さらに、プレジャッジ画面内の下部には、選択されたプリントチャンネルの「チャンネル１」の内容（第1ペーパー「８９ｍｍ幅  第1ペーパーマガジン」、第２ペーパー「１２７ｍｍ幅  第２ペーパーマガジン」）が表示され、オペレータは、プレジャッジ画面から選択されたプリントチャンネルを確認できるようになっている。
【００９５】
プレジャッジ処理が終了したら、「プリント」ボタンをクリックする（図８参照）。かかる操作によって、写真プリントの作成が開始される。具体的には、画像データが通常の解像度で取得され、取得された画像データは、補正データと対に、ハードディスク６１に蓄積される。そして、制御手段３５は、第1ペーパー「８９ｍｍ幅ペーパー」で写真プリントを作成できるように、プリント手段８０を制御する。ペーパーマガジン切換手段８４は、第1ペーパーマガジン８２から「８９ｍｍ幅ペーパー」を引き出し、露光エンジン８１に搬送する。また、画像処理基板７０は、第1ペーパー「８９ｍｍ幅ペーパー」で写真プリントを作成できるように、露光用画像データを生成する。この露光用画像データは、プリント手段８０に転送され、転送された露光用画像データに基づいて、写真プリントが作成される。
【００９６】
次に、第1ペーパーから第２ペーパーに切り換わる動作について説明する。写真プリントの作成中において、第1ペーパー「８９ｍｍ幅ペーパー」が消費された場合に、制御手段３５は、第２ペーパー「１２７ｍｍ幅ペーパー」で写真プリントを作成できるように、プリント手段８０を制御する。ペーパーマガジン切換手段８４は、第２ペーパーマガジン８３から「１２７ｍｍ幅ペーパー」を引き出し、露光エンジン８１に搬送する。また、画像処理基板７０は、第２ペーパー「１２７ｍｍ幅ペーパー」で写真プリントを作成できるように、露光用画像データを生成する。この露光用画像データは、プリント手段８０に転送され、転送された露光用画像データに基づいて、写真プリントが作成される。
【００９７】
ペーパーが切り換わったことにより、切換情報出力部３６は、第１ペーパー「８９ｍｍ幅ペーパー」から第２ペーパー「１２７ｍｍ幅ペーパー」に切り換ったことを示す情報をプリント画面に表示する。ここで、「プリント画面」とは、写真プリントが作成中であることを示す画面である。図９は、プリント画面に表示された切換情報の例を示す図である。図９において、プリント画面は、コマ画像を表示するフィールド、写真プリントの情況を示すフィールド（プリント済、プリント中、未処理）、選択されたチャンネル１の状態を示すフィールド等で構成されている。今、第２ペーパーで写真プリントが作成されているので、「第２ペーパー（１２７ｍｍ幅  第２ペーパーマガジン）」の文字が、枠で囲まれて表示されている。なお、本実施例においては、この枠の表示が切換情報に相当する。
【００９８】
以上、本実施の形態によれば、一のプリントチャンネルに異なるペーパーを２つ設定でき、一のペーパーが消費された場合に、別のペーパーで継続して写真プリントを作成できる。また、プリントサイズの縦の長さと一致するペーパー幅のペーパーと、プリントサイズの横の長さ一致するペーパー幅のペーパーとを、一のプリントチャンネルに設定することで、ペーパーが切り換わっても、余白が生じない写真プリントを作成できる。
【００９９】
なお、本実施の形態において、プリントチャンネル設定部３４は、ペーパーの種類を２つ設定する際に、オペレータの判断で、Ｌ判に対して、８９ｍｍ幅ペーパーと１２７ｍｍ幅ペーパーを設定するものだったが、プリントチャンネル設定部３４は、これに限定されない。例えば、プリントチャンネル設定部３４は、チャンネル１に、サイズとして「Ｌ判」を設定すると、自動的に、Ｌ判の縦サイズと横サイズの各々に一致するペーパー幅のペーパー、すなわち、８９ｍｍ幅ペーパーと１２７ｍｍ幅ペーパーを設定できる。これは、Ｌ判に対応して８９ｍｍ幅ペーパーと１２７ｍｍ幅ペーパーを選択するように定められた規則情報（図５参照）に基づいて、設定することができる。なお、規則情報は図５に示したものに限定されず、例えば、３つ以上のペーパーであって、かつ、写真プリントに余白が生じないペーパーを設定できるような規則であってもよい。
【０１００】
また、本実施の形態において、プリントチャンネル設定部３４は、ペーパーの種類を２つ設定するように構成されていたが、特に限定されず、３つ以上のペーパーを設定することもできる。例えば、サイズ「Ｌ判」であれば、第1ペーパーに「８９ｍｍ幅ペーパー」、第２ペーパーに「１２７ｍｍ幅ペーパー」、第３ペーパーに「２５４ｍｍ幅ペーパー」を設定できる。なお、写真プリントに余白が生じないペーパーを設定できる。
【０１０１】
また、本実施の形態において、プリントチャンネルを設定する場合に、オペレータのクリック操作によって、ペーパーの種類（例えば、８９ｍｍ幅、１２７ｍｍ幅等）を設定するものであったが、これに限定されず、写真処理装置１に搭載されたペーパーのみを設定できるように構成してもよい。
【０１０２】
また、本実施の形態において、切換情報出力部３６は、切換情報を表示部４０に出力するものであったが、これに限定されず、例えば、写真処理装置１に接続されるスピーカーに、音や音声（切換情報に相当する）を出力するものでもよく、写真処理装置１に接続される照明装置を点滅、点灯させるように構成してもよい。さらに、切換情報出力部３６は、オペレータが携帯する携帯端末（例えば、ＰＤＡ、携帯ＰＣ、携帯電話等）に切換情報を送信するように構成することもできる。
【０１０３】
また、本実施の形態において、プリントチャンネルの設定の場合に、プリントチャンネルを設定するためのフィールドを表示させるボタンをクリックさせ、表示されたフィールド内で、プリントチャンネルの設定をする構成であったが、特に限定されず、例えば、プリントチャンネルの設定のためのボタンをクリックすると操作画面とは別のウインドウが表示されて、このウインドウ上でプリントチャンネルの設定を行えるように構成してもよく、ＧＵＩによる入力画面は、適宜設計変更可能であり、特に限定されない。
【０１０４】
また、本実施の形態において、設定または選択の指示入力において、マウス５１を用いていたが、キーボードを用いて、直接に手入力するように構成してもよい。
【０１０５】
また、本実施の形態において、ペーパーマガジン切換手段８４は、第１ペーパーから第２ペーパーに切り換えるものだったが、ペーパーマガジン切換手段８４は、第２ペーパーから第１ペーパーに切り換えることもできる。かかる場合、制御手段３５が、第２ペーパーの残り長さが所定値以下である場合に、第２ペーパーから第１ペーパーに切り換える指示を、ペーパーマガジン切換手段８４に行い、この指示に応じて、ペーパーマガジン切換手段８４は、切り換え処理をする。  さらに、本実施の形態において説明した写真処理装置１の動作について、ソフトウェアで実現し、当該ソフトウェアを、例えば、サーバー上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における写真処理装置１の動作をソフトウェアで実現した場合のプログラムは、以下のようになる。
【０１０６】
コンピュータに、一のプリントチャンネルに異なるペーパー幅のペーパーを２以上設定するプリントチャンネル設定ステップと、プリントチャンネル設定ステップで設定されたプリントチャンネルの２以上のペーパーのうち、いずれか一のペーパーで写真プリントを作成するように制御すると共に、一のペーパーで写真プリントの作成が不可能な場合に、その他のペーパーで写真プリントを作成するように制御する制御ステップを実行させるためのプログラムである。
【０１０７】
また、コンピュータに、一のペーパーで写真プリントの作成が不可能な場合に、その他のペーパーで写真プリントを作成する旨の情報である切換情報を出力する切換情報出力ステップを実行させるためのプログラムである。
【図面の簡単な説明】
【０１０８】
【図１】実施の形態１における写真処理装置１の構成を示すブロック図
【図２】実施の形態１における写真処理装置１のペーパーマガジン切換手段について説明する図
【図３】実施の形態１における写真処理装置１の動作を説明するフローチャート
【図４】実施の形態１におけるプリントチャンネルの設定の例を示す図
【図５】実施の形態１における規則情報の例を示す図
【図６】実施の形態１におけるプリントチャンネルの選択の例を示す図
【図７】実施の形態１における写真処理装置１の外観の例を示す図
【図８】実施の形態１におけるプレジャッジ画面の例を示す図
【図９】実施の形態１におけるプリント画面の例を示す図
【符号の説明】
【０１０９】
１          写真処理装置
１０        画像データ取得部
１１        スキャナー装置
２０        画像データ格納部
２１        補正データ格納部
２２        プリントチャンネル設定データ格納部
２３        規則情報格納部
３０        装置制御手段
３１        ＧＵＩ
３２        画像処理部
３３        ハード制御部
３４        プリントチャンネル設定部
３５        制御手段
３６        切換情報出力部
４０        表示部
４１        液晶ディスプレイ
５０        入力部
５１        マウス
６０        データ蓄積部
６１        ハードディスク
７０        画像処理基板
８０        プリント手段
８１        露光エンジン
８２        第１ペーパーマガジン
８２１      第１のアクセスモータ
８２２      第１のペーパー
８３        第２ペーパーマガジン
８３１      第２のアクセスモータ
８３２      第２のペーパー
８４        ペーパーマガジン切換手段
８４１      導入搬送機構
８４２      カッター
【図１】
2006276668.tif 000003
【図２】
2006276668.tif 000004
【図３】
2006276668.tif 000005
【図４】
2006276668.tif 000006
【図５】
2006276668.tif 000007
【図６】
2006276668.tif 000008
【図７】
2006276668.tif 000009
【図８】
2006276668.tif 000010
【図９】
2006276668.tif 000011